(57)【要約】【課題】リップ流路およびリップ口の精度が落ちず、傷が付きにくく、１００μｍ以下であっても塗工ダイの塗工幅調整が可能な調整方法を提供する。【解決手段】上ダイ２１と下ダイ２２を重ね合わせてなるフィルム等に塗工剤を塗布する塗工ダイ２０の塗工幅調整方法において、マニホールド２３を有する上面Ａを平坦に仕上げた下ダイ２２と、下面Ｂのマニホールド２３の後部に対向する位置にリップ口の厚さｔとなる段部２５を設けた上ダイ２１と、上下ダイ２１と２２の合わせ面の幅方向の両端部にマニホールド２３からリップ口２４にかけて段部２５の厚さｔより３〜６μｍ厚く、その幅寸法Ｗ２を任意に換えてリップ口幅Ｗ１を調整するテフロン（登録商標）のようなフッ素樹脂製のライナ２６と、マニホールド２３の幅方向の両端部にその幅寸法Ｗ２をリップ口幅Ｗ１に対応させた埋子２７とを有して成る。【選択図】　　　　　図１
2004024923.tif 000002
【特許請求の範囲】
【請求項１】
ダイ内のマニホールドに塗工剤を導入し、一旦同マニホールド内に溜めた後、幅方向に広げて先端のリップ口から吐出する上ダイと下ダイを重ね合わせてなるフィルム等に塗工剤を塗布する塗工ダイの塗工幅調整方法において、マニホールドを有し、上面Ａを平坦に仕上げた下ダイと、マニホールドに対向する後部にリップ口の厚さｔとなる段部を設けるとともに、上下ダイの合わせ面の幅方向の両端部にマニホールドからリップ口にかけて段部の厚さｔより３〜６μｍ厚く、その幅寸法を任意に換えてリップ口幅を調整するフッ素樹脂製のライナを取付けた上ダイと、マニホールドの幅方向の両端部にその幅寸法をリップ口幅に対応させた埋子とを有して成ることを特徴とするフィルム等に塗工剤を塗布する塗工ダイの塗工幅調整方法。
【発明の詳細な説明】
【０００１】
【発明の属する技術分野】
本発明はプラスチックのフィルムやシート等（以下単にフィルムという）に塗工剤を塗布する塗工ダイの塗工幅を調整する調整方法に関する。
【０００２】
【従来の技術】
従来の塗工ダイの塗工幅を調整する方法を図４ないし図７により説明すると、塗工ダイ１は上ダイ２と下ダイ３を重ね合わせて成り、下ダイ３は図５に示すように外部から塗工剤を矢印ａのように導入し、一旦溜めた後、幅方向に広げるマニホールド４を設けてあり、上面Ａは平坦に仕上げてある。上ダイ２は図６ないし図７に示すように下面Ｂは平坦に仕上げてあり、上ダイ２と下ダイ３の重ね合わせ面にはマニホールド４の後側に対向する位置および幅方向の両端部に平面で「コ」の字状をした厚さｔのライナ６を取付け、下ダイ３の上面Ａと上ダイ２の下面Ｂとにより厚さｔ、幅Ｗ１のリップ流路７を形成し、リップ口８から塗工剤を吐出するようになし、塗工幅、即ちリップ口８の幅Ｗ１の調整はライナ６の幅Ｗ２を種々変化させて行っている。
【０００３】
【発明が解決しょうとする課題】
しかしながら、前者においてはライナ６の厚さｔおよび幅Ｗ２を精密に仕上げることは難しく、リップ流路７およびリップ口８の精度が落ちるばかりでなく、ライナ６がＳＵＳ等の金属製の場合はリップ流路７およびリップ口８を傷つけるおそれもあり、またプラスチックフィルムの場合はリップ流路の精度が維持できないという欠点があった。
【０００４】
本発明の目的は前述のような従来方法にあるリップ流路７およびリップ口８の精度が落ち、ライナ６がＳＵＳ等の金属製の場合はリップ流路７およびリップ口８を傷つけ易いという欠点を取除き、リップ流路７およびリップ口８の精度が落ちず、傷が付きにくく、１００μｍ以下であってもリップ流路７およびリップ口８の幅Ｗ１を変更が可能な塗工ダイの塗工幅を調整する調整方法を提供することにある。
【０００５】
【課題を解決するための手段】
前述の目的を達成するため本発明はダイ内のマニホールドに塗工剤を導入し、一旦同マニホールド内に溜めた後、幅方向に広げて先端のリップ口から吐出する上ダイと下ダイを重ね合わせてなるフィルム等に塗工剤を塗布する塗工ダイの塗工幅調整方法において、マニホールドを有し、上面Ａを平坦に仕上げた下ダイと、マニホールドに対向する後部がリップ口の厚さｔとなる段部を設けるとともに、上下ダイの合わせ面の幅方向の両端部にマニホールドからリップ口にかけて段部の厚さｔより３〜６μｍ厚く、その幅寸法を任意に換えてリップ口幅を調整するテフロン（登録商標）のようなフッ素樹脂製のライナを取付けた上ダイと、マニホールドの幅方向の両端部にその幅寸法をリップ口幅に対応させた埋子とを有して成ることを特徴とするフィルム等に塗工剤を塗布する塗工ダイの塗工幅調整方法とした。
【０００６】
これによりリップ流路７およびリップ口８の精度が落ちず、傷が付きにくく、１００μｍ以下であっても塗工幅調整が可能となった。
【０００７】
【発明の実施の形態】
以下本発明の実施の形態を図１ないし図３により説明する。塗工ダイ２０は上ダイ２１の下面Ｂと下ダイ２２の上面Ａを重ね合わせてなり、下ダイ２２にはマニホールド２３が設けてあり、塗工ダイ２０外部から矢印ａのようにこのマニホールド２３に塗工剤を導入し、一旦溜めた後、幅方向に広げて平坦に仕上げた上面Ａを流して先端のリップ口２４から吐出するようにしてある。上ダイ２１の下面Ｂのマニホールド２３の後側に対向する位置にはリップ口２４の厚さｔとなる段部２５を設けるとともに、上下ダイ２１および２２の合わせ面の幅方向の両端部にマニホールド２３からリップ口２４にかけて段部２５の厚さｔより３〜６μｍ厚く、その幅寸法Ｗ２を任意に換えてリップ口２４の幅Ｗ１を調整するテフロン（登録商標）のようなフッ素樹脂シート製のライナ２６、２６を取付けてある。また幅Ｗ１を狭くしたのに合わせて下ダイ２２のマニホールド２３にフッ素樹脂の埋子２７を入れる。
【０００８】
よって上ダイ２１が下ダイ２２に重ね合わされたとき、ライナ２６、２６の厚さ３〜６μｍが押しつぶされ、上ダイ２１の下面Ｂと下ダイ２２の上面Ａおよびライナ２６、２６により厚さｔ、幅Ｗ２のリップ流路２８が形成される。
【０００９】
以上説明したような構成となっており、ライナ２６、２６がテフロン（登録商標）のようなフッ素樹脂シート製であるからリップ口２４およびリップ流路２８が傷つくことはなく、テフロン（登録商標）のようなフッ素樹脂板が変形するため、厚さ寸法および幅の精度の維持が可能である。
【００１０】
【発明の効果】
前述のように本発明においてはリップ口等の精度が落ち、ライナが金属製の場合はリップ口８等を傷つけ易く、プラスチックフィルムの場合はリップ流路７およびリップ口８の精度が落ちるというず欠点が取除かれた塗工ダイの塗工幅を調整する調整方法となった。
【図面の簡単な説明】
【図１】本発明の１実施形態例を示す塗工ダイの調整を行う方法の説明図で、塗工ダイの側面図である。
【図２】本発明の１実施形態例を示す塗工ダイの調整を行う方法の説明図で、図１の断面Ｃ−Ｃ図を示し、下ダイの上面の図である。
【図３】本発明の１実施形態例を示す塗工ダイの調整を行う方法の説明図で、図１の断面Ｄ−Ｄ図を示し、上ダイの下面の図である。
【図４】従来の塗工ダイの調整を行う方法の説明図で、塗工ダイの側面図である。
【図５】従来の塗工ダイの調整を行う方法の説明図で、図４の断面Ｅ−Ｅ図を示し、下ダイの上面の図である。
【図６】従来の塗工ダイの調整を行う方法の説明図で、図４の断面Ｆ−Ｆ図を示し、上ダイの下面の図である。
【図７】従来の塗工ダイの調整を行う方法の説明図で、図４の断面Ｇ−Ｇ図である。
【符号の説明】
２０　塗工ダイ
２１　上ダイ
２２　下ダイ
２３　マニホールド
２４　リップ口
２５　段部
２６　ライナ
２７　埋子
２８　リップ流路
【図１】
2004024923.tif 000003
【図２】
2004024923.tif 000004
【図３】
2004024923.tif 000005
【図４】
2004024923.tif 000006
【図５】
2004024923.tif 000007
【図６】
2004024923.tif 000008
【図７】
2004024923.tif 000009